(57)【特許請求の範囲】
【請求項１】
２線式の信号線を介して各別にアドレスを有する複数個の端末器を伝送処理装置に時分割多重接続方式で接続し、伝送処理装置は、アドレスデータを含む伝送信号を信号線に送出することによって端末器を個別にアクセスし、伝送信号に同期して設定した信号返送期間に端末器でのスイッチの操作による操作データを受信すると、操作データに基づいて制御データを生成し、操作データを発生した端末器とアドレスによる対応関係があらかじめ設定されている他の端末器に対して制御データを伝送してその端末器に接続された負荷を制御する遠隔監視制御システムに用いられ、上記スイッチを複数備えるとともに、これら複数のスイッチについての所定情報を、上記他の端末器である制御用端末器単位に区分して表示するセレクタ表示部を複数備えるパターン・グループ設定器付セレクタスイッチであって、
信号線上の信号をモニタすることで各種情報を取得するためのモニタ部と、
このモニタ部によって取得された各種情報を記憶する記憶部と、
外部機器に対して情報を出力するための出力部と、
各種出力情報の中から所望の出力情報を出力部から出力する操作を入力するための操作スイッチを複数種類有してなる設定実行操作部と、
この設定実行操作部の操作スイッチを用いて、各種出力情報の中から所望の出力情報を出力部から出力する操作が行われると、記憶部に記憶された各種情報から所望の出力情報を得て出力部から出力する制御を行う制御部と
を備えることを特徴とするパターン・グループ設定器付セレクタスイッチ。
【請求項２】
記憶部に記憶された各種情報から得られ出力部から出力される各種出力情報の中から、出力するべき所望の出力情報を選択させるためのメニューを表示するメニュー表示部を備え、制御部は、メニュー表示部に表示されたメニューに従って、設定実行操作部の操作スイッチを用いて、各種出力情報の中から所望の出力情報を選択し、それを出力部から出力する操作が行われると、記憶部に記憶された各種情報から所望の出力情報を得て出力部から出力する制御を行うことを特徴とする請求項１記載のパターン・グループ設定器付セレクタスイッチ。
【請求項３】
モニタ部は、信号線上の信号をモニタすることで各制御用端末器の負荷の回路状態についての情報を取得して記憶部に記憶し、制御部は、設定実行操作部の操作スイッチを用いて、各種出力情報の中から各負荷の回路状態についての情報を選択し、それを出力部から出力する操作が行われると、記憶部に記憶された各種情報から各負荷の回路状態についての情報を得て出力部から出力する制御を行うことを特徴とする請求項１または２記載のパターン・グループ設定器付セレクタスイッチ。
【請求項４】
モニタ部は、信号線上の信号をモニタすることで、制御用端末器が有するアドレスのうち、返信のない制御用端末器のアドレスの情報を未使用回路情報として取得して記憶部に記憶し、制御部は、設定実行操作部の操作スイッチを用いて、各種出力情報の中から未使用回路情報を選択し、それを出力部から出力する操作が行われると、記憶部に記憶された各種情報から未使用回路情報を得て出力部から出力する制御を行うことを特徴とする請求項１から３のいずれかに記載のパターン・グループ設定器付セレクタスイッチ。
【請求項５】
モニタ部は、信号線上の信号をモニタすることで、遠隔監視制御システムで設定されている所定数のパターンアドレスおよびグループアドレスのうち、未使用のパターンアドレスおよびグループアドレスの情報を取得して記憶部に記憶し、制御部は、設定実行操作部の操作スイッチを用いて、各種出力情報の中から未使用のパターンアドレスおよびグループアドレスの情報を選択し、それを出力部から出力する操作が行われると、記憶部に記憶された各種情報から未使用のパターンアドレスおよびグループアドレスの情報を得て出力部から出力する制御を行うことを特徴とする請求項１から４のいずれかに記載のパターン・グループ設定器付セレクタスイッチ。
【請求項６】
記憶部は、パターンアドレスおよびグループアドレスの情報を、それらアドレスによるパターン制御およびグループ制御で動作する制御用端末器下の負荷についての情報とともに記憶し、制御部は、設定実行操作部の操作スイッチを用いて、任意の制御用端末器下の負荷がどのパターンアドレスおよびグループアドレスによるパターン制御およびグループ制御で動作するかを表す情報を選択し、それを出力部から出力する操作が行われると、記憶部に記憶された各種情報から、その任意の制御用端末器下の負荷に対応するパターンアドレスおよびグループアドレスを読み出して出力部から出力する制御を行うことを特徴とする請求項１から５のいずれかに記載のパターン・グループ設定器付セレクタスイッチ。
【請求項７】
出力部は、シリアル通信用の出力インターフェースであることを特徴とする請求項１から６のいずれかに記載のパターン・グループ設定器付セレクタスイッチ。
【請求項８】
出力部は、所定の記録媒体に対してデータの読み書きを行う記録装置であることを特徴とする請求項１から６のいずれかに記載のパターン・グループ設定器付セレクタスイッチ。
【発明の詳細な説明】
【０００１】
【発明の属する技術分野】
本発明は、遠隔監視制御システムに用いられるパターン・グループ設定器付セレクタスイッチに関するものである。
【０００２】
【従来の技術】
従来より、複数個ずつの操作用端末器および制御用端末器を時分割多重接続方式で２線式の信号線を介して伝送処理装置に接続した遠隔監視制御システムが市販されている。操作用端末器および制御用端末器には各別にアドレスが設定されており、伝送処理装置はアドレスによって各操作用端末器および各制御用端末器を個別に認識する。操作用端末器はスイッチを備え、このスイッチの操作により発生した割り込み信号を伝送処理装置に伝送する。伝送処理装置は割り込み信号を受信すると割り込みを要求している操作用端末器を検索し、さらに検索した操作用端末器とアドレスによって対応関係があらかじめ設定されている制御用端末器に対して制御データを伝送する。制御データを受け取った制御用端末器では、接続されている負荷をスイッチの操作に対応させて制御する。
【０００３】
さらに詳しく説明すると、遠隔監視制御システムは、たとえば図８に示す構成を有する。伝送処理装置１には、スイッチＳＷの操作状態を監視する複数個の操作用端末器２、負荷Ｌを制御する複数個の制御用端末器３が２線式の信号線Ｌｓを介して接続される。操作用端末器２、制御用端末器３には、それぞれ個別のアドレスが設定され、このアドレスを用いて伝送処理装置１が操作用端末器２、制御用端末器３を個別に認識する。
【０００４】
伝送処理装置１は信号線Ｌｓに対して、図９（ａ），（ｂ）のようなフォーマットの伝送信号Ｖｓを送出する。すなわち、伝送信号Ｖｓは、信号送出開始を示すスタートパルスＳＴ、信号モードを示すモードデータ信号ＭＤ、操作用端末器２や制御用端末器３を各別に呼び出すためのアドレスを含むデータを伝送するアドレスデータ信号ＡＤ、制御用端末器３下の各負荷Ｌを制御する制御データを伝送する制御データ信号ＣＤ、伝送エラーを検出するためのチェックサムデータ信号ＣＳ、操作用端末器２や制御用端末器３からの返送データ信号を受信するタイムスロットである信号返送期間ＷＴよりなる複極（±２４Ｖ）の時分割多重信号であり、パルス幅変調によってデータが伝送されるようになっている。
【０００５】
各操作用端末器２および各制御用端末器３では、信号線Ｌｓを介して受信した伝送信号Ｖｓにより伝送されたアドレスデータがあらかじめ設定されているアドレスデータに一致すると、伝送信号Ｖｓから制御データを取り込むとともに、伝送信号Ｖｓの信号返送期間ＷＴに同期して返信データを電流モード信号（信号線Ｌｓの線間を適当な低インピーダンスを介して短絡することにより送出される信号）として返送する。
【０００６】
また、伝送処理装置１には、ダミー信号送信手段および割り込み信号処理手段が設けられる。ダミー信号送信手段は、モードデータ信号ＭＤをダミーモードとしたダミー伝送信号を常時送出する。また、割り込み信号処理手段は、いずれかの操作用端末器２でスイッチＳＷの操作に伴って発生した図９（ｃ）のような割り込み信号Ｖｉを受信したときに、割り込み信号Ｖｉを発生した操作用端末器２を検索し、その操作用端末器２に設定されているアドレスデータを返信データとして返送させる。すなわち、常時はダミー信号送信手段によってダミー伝送信号を信号線Ｌｓに送出し、スイッチＳＷの操作に伴って操作用端末器２から発生した割り込み信号Ｖｉをダミー伝送信号のスタートパルス信号ＳＴに同期して検出すると、伝送処理装置１からは割り込み処理手段によってモードデータ信号ＭＤをアドレス確認モードとした伝送信号Ｖｓを信号線Ｌｓに送出する。各操作用端末器２では、割り込み信号Ｖｉを発生すると割り込みの要求を行う割り込みフラグを設定し、割り込みフラグが設定されている操作用端末器２ではモードデータ信号ＭＤがアドレス確認モードの伝送信号Ｖｓを受信すると、この伝送信号Ｖｓの信号返送期間ＷＴに同期して操作用端末器２に設定されているアドレスデータを返信データとして返送する。このようにして伝送処理装置１では割り込み信号Ｖｉを発生した操作用端末器２のアドレスを獲得することができる。
【０００７】
伝送処理装置１では、割り込み信号Ｖｉを発生した操作用端末器２のアドレスを獲得すると、スイッチＳＷに対する対応関係があらかじめ設定されている負荷Ｌを接続した制御用端末器３に伝送する制御データを生成するとともに、その制御データを含む伝送信号Ｖｓを信号線Ｌｓに送出し、対応する制御用端末器３に制御データを伝送して負荷Ｌを制御する。
【０００８】
操作用端末器２や制御用端末器３では、それぞれ信号線Ｌｓを伝送されている伝送信号Ｖｓを全波整流し安定化することによって内部回路の動作用の電源を得るようになっている。制御用端末器３に接続される負荷Ｌについては別途に電源を設けている。
【０００９】
ところで、上述した遠隔監視制御システムでは、負荷ＬをスイッチＳＷに対して一対一に対応させる個別制御と、複数の負荷Ｌを１つのスイッチＳＷに対応付けて一括して制御する一括制御とが可能である。さらに、一括制御については、複数の負荷Ｌを同じ状態に制御するグループ制御と、複数の負荷Ｌを各別にあらかじめ設定した制御状態にするパターン制御とが可能になっている。このように、各スイッチＳＷは、個別制御、グループ制御、パターン制御のいずれかの制御方法で負荷Ｌを制御することになる。操作用端末器２と制御用端末器３とについて負荷番号を含めたアドレスの対応関係は、個別制御では一対一対応になり、グループ制御、パターン制御では一対多対応になる。
【００１０】
上述したような一括制御のためのスイッチＳＷと負荷Ｌとの対応付けの作業には一括制御設定用端末器が用いられる。一括制御設定用端末器は、スイッチＳＷと負荷Ｌとの対応付けを行なって伝送処理装置１に登録する設定モードと、スイッチＳＷを操作したときに設定モードで対応関係が設定された複数の負荷Ｌを一括制御する操作モードとを選択することができる。設定モードでは、一括制御設定用端末器は、一括制御される複数の負荷Ｌに対応付けるスイッチＳＷを備えた操作用端末器２、および一括制御の対象となる負荷Ｌを個別に指定するためのスイッチＳＷを備えた操作用端末器２と併用される。
【００１１】
ところで、上記従来の遠隔監視制御システムには、制御用端末器の１アドレスを１チャネルとしたとき、最大で６４チャネル分の制御用端末器を接続することができる。一方、各制御用端末器には、最大で４台の負荷（例えば照明器具）を接続することができる回路（例えばリレーなどを含む回路）が設けられている。したがって、遠隔監視制御システムには、合計で２５６台分の負荷を接続することができることになる。
【００１２】
なお、特開平１−１９０１９８号公報には、ホストコンピュータのような外部制御装置と中央制御装置との間のデータ伝送を信号線を介して時分割多重伝送するようにしたインターフェース回路を分電盤協約寸法の盤取付型ケースに収納した遠隔監視制御システムのインターフェース端末器が開示されている。
【００１３】
【発明が解決しようとする課題】
このような従来の遠隔監視制御システムでは、各負荷の回路状態（例えばリレーのオン／オフ状態）を知るには、操作用端末器である壁スイッチまたはセレクタスイッチなどに設けられた表示部の表示を見る必要がある。しかし、壁スイッチまたはセレクタスイッチがそのシステムに使用されている回路数分まとまって設置されていないと、全体の回路状態を把握するのが困難である。また、仮にまとまって設置されていたとしても記録しておきたい場合はいちいち控えておかなければいけない。
【００１４】
また、未使用の回路、あるいは未使用のパターンアドレスおよびグループアドレスを知るにも、壁スイッチまたはセレクタスイッチなどに設けられた表示部の表示を見る必要があるが、このような場合も、上記と同様の問題がある。
【００１５】
さらに、ある負荷回路がどのパターンアドレスまたはグループアドレスに登録されているかを知るには、全てのパターンまたはグループの設定内容を確認する必要がある。この場合、ツールで確認はできるが、記録しておきたい場合はいちいち控えておかなければいけない。
【００１６】
本発明は、上記事情に鑑みてなされたものであり、遠隔監視制御システムについての各種情報を容易に取り出すことができるパターン・グループ設定器付セレクタスイッチを提供することを目的とする。
【００１７】
【課題を解決するための手段】
上記課題を解決するための請求項１記載の発明は、２線式の信号線を介して各別にアドレスを有する複数個の端末器を伝送処理装置に時分割多重接続方式で接続し、伝送処理装置は、アドレスデータを含む伝送信号を信号線に送出することによって端末器を個別にアクセスし、伝送信号に同期して設定した信号返送期間に端末器でのスイッチの操作による操作データを受信すると、操作データに基づいて制御データを生成し、操作データを発生した端末器とアドレスによる対応関係があらかじめ設定されている他の端末器に対して制御データを伝送してその端末器に接続された負荷を制御する遠隔監視制御システムに用いられ、上記スイッチを複数備えるとともに、これら複数のスイッチについての所定情報を、上記他の端末器である制御用端末器単位に区分して表示するセレクタ表示部を複数備えるパターン・グループ設定器付セレクタスイッチであって、信号線上の信号をモニタすることで各種情報を取得するためのモニタ部と、このモニタ部によって取得された各種情報を記憶する記憶部と、外部機器に対して情報を出力するための出力部と、各種出力情報の中から所望の出力情報を出力部から出力する操作を入力するための操作スイッチを複数種類有してなる設定実行操作部と、この設定実行操作部の操作スイッチを用いて、各種出力情報の中から所望の出力情報を出力部から出力する操作が行われると、記憶部に記憶された各種情報から所望の出力情報を得て出力部から出力する制御を行う制御部とを備えることを特徴とする。
【００１８】
請求項２記載の発明は、請求項１記載のパターン・グループ設定器付セレクタスイッチにおいて、記憶部に記憶された各種情報から得られ出力部から出力される各種出力情報の中から、出力するべき所望の出力情報を選択させるためのメニューを表示するメニュー表示部を備え、制御部は、メニュー表示部に表示されたメニューに従って、設定実行操作部の操作スイッチを用いて、各種出力情報の中から所望の出力情報を選択し、それを出力部から出力する操作が行われると、記憶部に記憶された各種情報から所望の出力情報を得て出力部から出力する制御を行うことを特徴とする。
【００１９】
請求項３記載の発明は、請求項１または２記載のパターン・グループ設定器付セレクタスイッチにおいて、モニタ部は、信号線上の信号をモニタすることで各制御用端末器の負荷の回路状態についての情報を取得して記憶部に記憶し、制御部は、設定実行操作部の操作スイッチを用いて、各種出力情報の中から各負荷の回路状態についての情報を選択し、それを出力部から出力する操作が行われると、記憶部に記憶された各種情報から各負荷の回路状態についての情報を得て出力部から出力する制御を行うことを特徴とする。
【００２０】
請求項４記載の発明は、請求項１から３のいずれかに記載のパターン・グループ設定器付セレクタスイッチにおいて、モニタ部は、信号線上の信号をモニタすることで、制御用端末器が有するアドレスのうち、返信のない制御用端末器のアドレスの情報を未使用回路情報として取得して記憶部に記憶し、制御部は、設定実行操作部の操作スイッチを用いて、各種出力情報の中から未使用回路情報を選択し、それを出力部から出力する操作が行われると、記憶部に記憶された各種情報から未使用回路情報を得て出力部から出力する制御を行うことを特徴とする。
【００２１】
請求項５記載の発明は、請求項１から４のいずれかに記載のパターン・グループ設定器付セレクタスイッチにおいて、モニタ部は、信号線上の信号をモニタすることで、遠隔監視制御システムで設定されている所定数のパターンアドレスおよびグループアドレスのうち、未使用のパターンアドレスおよびグループアドレスの情報を取得して記憶部に記憶し、制御部は、設定実行操作部の操作スイッチを用いて、各種出力情報の中から未使用のパターンアドレスおよびグループアドレスの情報を選択し、それを出力部から出力する操作が行われると、記憶部に記憶された各種情報から未使用のパターンアドレスおよびグループアドレスの情報を得て出力部から出力する制御を行うことを特徴とする。
【００２２】
請求項６記載の発明は、請求項１から５のいずれかに記載のパターン・グループ設定器付セレクタスイッチにおいて、記憶部は、パターンアドレスおよびグループアドレスの情報を、それらアドレスによるパターン制御およびグループ制御で動作する制御用端末器下の負荷についての情報とともに記憶し、制御部は、設定実行操作部の操作スイッチを用いて、任意の制御用端末器下の負荷がどのパターンアドレスおよびグループアドレスによるパターン制御およびグループ制御で動作するかを表す情報を選択し、それを出力部から出力する操作が行われると、記憶部に記憶された各種情報から、その任意の制御用端末器下の負荷に対応するパターンアドレスおよびグループアドレスを読み出して出力部から出力する制御を行うことを特徴とする。
【００２３】
請求項７記載の発明は、請求項１から６のいずれかに記載のパターン・グループ設定器付セレクタスイッチにおいて、出力部は、シリアル通信用の出力インターフェースであることを特徴とする。
【００２４】
請求項８記載の発明は、請求項１から６のいずれかに記載のパターン・グループ設定器付セレクタスイッチにおいて、出力部は、所定の記録媒体に対してデータの読み書きを行う記録装置であることを特徴とする。
【００２５】
【発明の実施の形態】
（第１実施形態）
図１は本発明に係る第１実施形態のパターン・グループ設定器付セレクタスイッチの回路ブロック図、図２は同パターン・グループ設定器付セレクタスイッチの正面図、図３は同パターン・グループ設定器付セレクタスイッチの背面図、図４は遠隔監視制御システムの伝送処理装置による常時ポーリング処理の説明図、図５，図６は同パターン・グループ設定器付セレクタスイッチのメイン表示部で表示されるメニューの例を示す図である。
【００２６】
第１実施形態のパターン・グループ設定器付セレクタスイッチ４は、図８に示した遠隔監視制御システムに使用されるものであり、図２，図３に示すように、前ハーフ４０ａおよび後ハーフ４０ｂによりなる前面矩形状の筐体４０を有している。
【００２７】
前ハーフ４０ａの正面左方寄りのエリアには、各制御用端末器３下の４つの負荷Ｌをオン／オフ制御することができるスイッチＳＷ１〜ＳＷ４が複数組み（図２では１６組み）設けられているとともに、これら複数組みのスイッチについての例えばオン／オフなどの所定情報を、制御用端末器３単位に区分して表示する液晶表示のセレクタ表示部Ｄ１が複数（図２では１６個）設けられている。そして、これらスイッチＳＷ１〜ＳＷ４およびセレクタ表示部Ｄ１が設けられたエリアの右方下側には、ページ送り用の送り操作スイッチＳＷ５およびページ戻し用の戻り操作スイッチＳＷ６が設けられている。
【００２８】
ここで、遠隔監視制御システムには、最大で６４チャネル分の制御用端末器３を接続することができ、各制御用端末器３には、最大で４台の負荷Ｌを接続することができるが、上記構成のパターン・グループ設定器付セレクタスイッチ４では、１度に１６チャネル分のスイッチＳＷ１〜ＳＷ４およびセレクタ表示部Ｄ１の数しか割り当てることができない。このため、全チャネルの６４チャネルを、０ｃｈ〜１５ｃｈ、１６ｃｈ〜３１ｃｈ、３２ｃｈ〜４７ｃｈ、４８ｃｈ〜６３ｃｈに区切って、それぞれをサイクリックに切り替わるページとし、送り操作スイッチＳＷ５または戻り操作スイッチＳＷ６が押されたときに、それぞれ現在のページを送りまたは戻すように構成される。
【００２９】
前ハーフ４０ａの正面右方寄りのエリアには、各種設定および各種機能の実行用にメニューを各種表示する液晶表示のメイン表示部Ｄ２が上方に設けられ、このメイン表示部Ｄ２の右方に、モード設定用のモード操作スイッチＳＷ７、以前のメニューに戻るときに使用する戻る操作スイッチＳＷ８、メニュー内のカーソル位置を一段上の位置に上げるときに使用するアップ操作スイッチＳＷ９、メニュー内のカーソル位置を一段下の位置に下げるときに使用するダウン操作スイッチＳＷ１０、および用意された所定の機能を実行するときに使用する実行操作スイッチＳＷ１１が設けられている。
【００３０】
そして、これらのメイン表示部Ｄ２および各種操作スイッチの下方には、機能選択キー群をなす、個別操作スイッチＳＷ１２、調光（Ｄ）操作スイッチＳＷ１３、パターン（Ｐ）操作スイッチＳＷ１４およびグループ（Ｇ）操作スイッチＳＷ１５が設けられ、これらの下方には、“＋”、“−”およびテンキー“０”〜“９”の各種操作キーＳＷ１６〜ＳＷ２７が設けられている。
【００３１】
一方、後ハーフ４０ｂの背面には、ＡＣ１００Ｖの商用電源に接続するための電源端子Ｔ１と、２線式の信号線Ｌｓに接続するための信号端子Ｔ２と、シリアル通信用コネクタ（図３ではＲＳ２３２Ｃ）Ｔ３とが設けられている。
【００３２】
このように機構的に構成されるパターン・グループ設定器付セレクタスイッチ４は、図１に示すように、電源部４１と、デュアルポートＲＡＭ４２と、モニタ部４３と、主回路部４４とにより電気的に構成される。
【００３３】
電源部４１は、電源端子Ｔ１に入力されるＡＣ１００ＶをＡＣ７Ｖに降圧するトランス４１１と、このトランス４１１によって降圧されたＡＣ７ＶをＤＣ５Ｖなどに変換して各部に供給する電源回路４１２とにより構成されている。
【００３４】
モニタ部４３は、発振回路４３１と、プログラムを格納したフラッシュメモリ４３２と、信号端子Ｔ２に接続されたフル２線信号送受信回路４３３と、これらと接続されるＣＰＵ４３０とにより構成されている。
【００３５】
このＣＰＵ４３０は、フラッシュメモリ４３２に格納されたプログラムに従って、フル２線信号送受信回路４３３を通じて各種信号の授受を行うものであり、例えば、図４に示す伝送処理装置１による常時ポーリングの処理を利用して、信号端子Ｔ２に接続された信号線Ｌｓの信号を、フル２線信号送受信回路４３３を通じてモニタすることで各種情報を取得してデュアルポートＲＡＭ４２に記憶する処理を実行する。
【００３６】
例えば、図４に示す各「状態表示」の情報をモニタすることで、各制御用端末器３の負荷Ｌの回路状態についての情報を取得してデュアルポートＲＡＭ４２に記憶する処理が実行される。
【００３７】
また、図４に示す各「状態返信」の情報をモニタすることで、制御用端末器３が有する０ｃｈ〜６３ｃｈのアドレスのうち、返信のない制御用端末器３のアドレスの情報を未使用回路情報として取得してデュアルポートＲＡＭ４２に記憶する処理が実行される。
【００３８】
さらに、信号線Ｌｓの信号をモニタすることで、遠隔監視制御システムで設定されている所定数のパターンアドレスおよびグループアドレスのうち、未使用のパターンアドレスおよびグループアドレスの情報を取得してデュアルポートＲＡＭ４２に記憶する処理が実行される。ここで、遠隔監視制御システムでは、パターンアドレスはＰ１〜Ｐ７２まで設定可能であり、グループアドレスはＧ１〜Ｇ１２７まで設定可能である。そして、スイッチ表示情報を監視して、送られてこないパターンアドレスおよびグループアドレスを未使用のパターンアドレスおよびグループアドレスの情報としてデュアルポートＲＡＭ４２に記憶する処理が実行される。
【００３９】
主回路部４４は、発振回路４４１と、プログラムを格納したフラッシュメモリ４４２と、シリアル通信用コネクタＴ３に接続されたＲＳ２３２Ｃドライバ回路４４３と、これらおよび後述の各部と接続されるＣＰＵ４４０とにより構成されている。すなわち、ＣＰＵ４４０には、圧電ブザー４４４ａがこの駆動用のブザー回路４４４ｂを介して接続され、図２に示した各種スイッチを構成する電極内蔵メンブレンスイッチ４４５ａがスイッチ入力回路４４５ｂを介して接続されている。また、ＲＡＭ４４６およびデータ格納用のフラッシュメモリ４４７が接続されているほか、ＬＣＤ（セレクタ表示部）Ｄ１およびＬＣＤ（メイン表示部）Ｄ２がそれぞれＬＣＤドライバ回路４４８ａおよびＬＣＤドライバ回路４４８ｂを介して接続されている。さらに、ＣＰＵ４４０にはウォッチドックタイマ４４９が接続されている。
【００４０】
このような構成の主回路部４４のＣＰＵ４４０は、フラッシュメモリ４４２に格納されたプログラムに従って、パターン・グループ設定器付セレクタスイッチ４の全般の制御などの処理を実行するものであり、従来のパターン・グループ設定器付セレクタスイッチと同様の処理を実行するほか、第１実施形態の特徴として、電極内蔵メンブレンスイッチ４４５ａの各種操作スイッチを用いて、各種出力情報の中から所望の出力情報を選択し、シリアル通信用コネクタＴ３およびＲＳ２３２Ｃドライバ回路４４３により構成される出力部からその所望の出力情報を出力する操作が行われると、記憶部に記憶された各種情報から所望の出力情報を得て出力部から出力する制御を行う。ここで、記憶部は、デュアルポートＲＡＭ４２およびフラッシュメモリ４４７により構成され、デュアルポートＲＡＭ４２に記憶された各種情報はフラッシュメモリ４４７に保存される。
【００４１】
上記第１実施形態の特徴となる所望の出力情報の出力処理について、図５，図６をさらに用いて詳述すると、ＣＰＵ４４０は、ＬＣＤドライバ回路４４８ｂを通じてＬＣＤ（メイン表示部）Ｄ２に各種メニューを表示する。
【００４２】
いま、図５の例に示すように、メニューＭ０１を表示しているときに、メニューＭ０１の項目から、アップ操作スイッチＳＷ９またはダウン操作スイッチＳＷ１０を用いて「パソコン接続」を選択して、実行操作スイッチＳＷ１１を押す操作入力があると、メイン表示部Ｄ２にメニューＭ０２を表示する処理が実行される。このとき、戻る操作スイッチＳＷ８を押す操作入力があると、メイン表示部Ｄ２に前のメニューＭ０１を表示する処理が実行される。
【００４３】
メニューＭ０２において、アップ操作スイッチＳＷ９またはダウン操作スイッチＳＷ１０を用いて「データ出力」を選択して、実行操作スイッチＳＷ１１を押す操作入力があると、メイン表示部Ｄ２にメニューＭ０３を表示する処理が実行される。このメニューＭ０３における「回路状態」、「未使用回路」、「未使用ＰＧ」および「端末登録ＰＧ」が出力情報であり、これらの各種出力情報の中から所望の出力情報を選択することができる。
【００４４】
メニューＭ０３において、「回路状態」を選択して、実行操作スイッチＳＷ１１を押す操作入力があると、メイン表示部Ｄ２にメニューＭ０４を表示する処理が実行される。この状態で、実行操作スイッチＳＷ１１を３秒以上押し続ける操作入力があると、メイン表示部Ｄ２にメニューＭ０５を表示し、記憶部に記憶された各種情報から各負荷の回路状態についての情報を得て出力部から出力し、出力が完了すると、メイン表示部Ｄ２にメニューＭ０６を表示する処理が実行される。これにより、出力部から、このシリアル通信用コネクタＴ３に接続された外部機器としての例えばパソコンに、各負荷の回路状態についての情報が出力されるので、パソコンでそのデータを保存したり、あるいは加工して印刷出力することができる。また、その情報をメンテナンスに利用したり、データを蓄積して照明等の使用状況を把握することができ、これを省エネ検討等に利用することもできる。さらに、そのファイル形式に対応したアプリケーションソフトにより自由なフォーマットに加工できるため、ニーズに応じた資料を作成でき、印刷もできる。
【００４５】
メニューＭ０６において、戻る操作スイッチＳＷ８を押す操作入力があると、メイン表示部Ｄ２にメニューＭ０３を表示する処理が実行される。
【００４６】
メニューＭ０３において、「回路状態」がアクティブになっている状態からダウン操作スイッチＳＷ１０を押す操作入力があると、カーソルを現在位置から一段下の位置に下ろしたメニューＭ０７をメイン表示部Ｄ２に表示する処理が実行される。このとき、アップ操作スイッチＳＷ９を押す操作入力があると、カーソルを現在位置から一段上の位置に上げたメニューＭ０３をメイン表示部Ｄ２に表示する処理が実行される。
【００４７】
メニューＭ０７において、「未使用回路」がアクティブになっている状態から実行操作スイッチＳＷ１１を押す操作入力があると、メイン表示部Ｄ２にメニューＭ０８を表示する処理が実行される。この状態で、実行操作スイッチＳＷ１１を３秒以上押し続ける操作入力があると、メイン表示部Ｄ２にメニューＭ０９を表示し、記憶部に記憶された各種情報から未使用回路情報を得て出力部から出力し、出力が完了すると、メイン表示部Ｄ２にメニューＭ１０を表示する処理が実行される。これにより、出力部から、このシリアル通信用コネクタＴ３に接続された例えばパソコンに、未使用回路情報が出力されるので、パソコンでそのデータを保存したり、あるいは加工して印刷出力することができる。回路を追加するとき、アドレスが重複しないようにしなければならないが、上記出力情報により使用可能なアドレスを確認することができる。
【００４８】
メニューＭ１０において、戻る操作スイッチＳＷ８を押す操作入力があると、メイン表示部Ｄ２にメニューＭ０７を表示する処理が実行される。
【００４９】
メニューＭ０７において、「未使用回路」がアクティブになっている状態からダウン操作スイッチＳＷ１０を押す操作入力があると、図６の例に示すように、カーソルを現在位置から一段下の位置に下ろしたメニューＭ１１をメイン表示部Ｄ２に表示する処理が実行される。このとき、アップ操作スイッチＳＷ９を押す操作入力があると、カーソルを現在位置から一段上の位置に上げたメニューＭ０７をメイン表示部Ｄ２に表示する処理が実行される。
【００５０】
メニューＭ１１において、「未使用ＰＧ」がアクティブになっている状態から実行操作スイッチＳＷ１１を押す操作入力があると、メイン表示部Ｄ２にメニューＭ１２を表示する処理が実行される。この状態で、実行操作スイッチＳＷ１１を３秒以上押し続ける操作入力があると、メイン表示部Ｄ２にメニューＭ１３を表示し、記憶部に記憶された各種情報から未使用のパターンアドレスおよびグループアドレスの情報を得て出力部から出力し、出力が完了すると、メイン表示部Ｄ２にメニューＭ１４を表示する処理が実行される。これにより、出力部から、このシリアル通信用コネクタＴ３に接続された例えばパソコンに、未使用のパターンアドレスおよびグループアドレスの情報が出力されるので、パソコンでそのデータを保存したり、あるいは加工して印刷出力することができる。パターンスイッチおよびグループスイッチを追加するとき、未使用のパターンアドレスおよびグループアドレスを確認することができる。
【００５１】
メニューＭ１４において、戻る操作スイッチＳＷ８を押す操作入力があると、メイン表示部Ｄ２にメニューＭ１１を表示する処理が実行される。
【００５２】
メニューＭ１１において、「未使用ＰＧ」がアクティブになっている状態からダウン操作スイッチＳＷ１０を押す操作入力があると、カーソルを現在位置から一段下の位置に下ろしたメニューＭ１５をメイン表示部Ｄ２に表示する処理が実行される。
【００５３】
メニューＭ１５において、「端末登録ＰＧ」がアクティブになっている状態から実行操作スイッチＳＷ１１を押す操作入力があると、メイン表示部Ｄ２にメニューＭ１６を表示する処理が実行される。この状態で、個別操作スイッチＳＷ１２などの操作スイッチを用いて、制御用端末器３のチャネル番号とその負荷番号を指定する操作入力があると、そのチャネル番号と負荷番号とを含むメニューＭ１７をメイン表示部Ｄ２に表示する処理が実行される。図６の例では、チャネル番号が２で負荷番号が４になっている（「２ｃｈ−４」）。この状態で、実行操作スイッチＳＷ１１を３秒以上押し続ける操作入力があると、メイン表示部Ｄ２にメニューＭ１８を表示し、記憶部に記憶された各種情報から、その任意の制御用端末器３下の負荷Ｌに対応するパターンアドレスおよびグループアドレスを読み出して出力部から出力し、出力が完了すると、メイン表示部Ｄ２にメニューＭ１９を表示する処理が実行される。例えば、「２ｃｈ−４」の負荷回路がパターンアドレスＰ１，Ｐ１２，Ｐ１５によるパターン制御で動作し、またグループアドレスＧ１，Ｇ７によるグループ制御で動作する場合には、Ｐ１，Ｐ１２，Ｐ１５のパターンアドレスおよびＧ１，Ｇ７のグループアドレスが出力されることになる。これにより、出力部から、このシリアル通信用コネクタＴ３に接続された例えばパソコンに、任意の制御用端末器３下の負荷Ｌがどのパターンアドレスおよびグループアドレスによるパターン制御およびグループ制御で動作するかを表す情報が出力されるので、パソコンでそのデータを保存したり、あるいは加工して印刷出力することができる。また、その回路を、これを含むパターンおよびグループ設定データから削除するとき、そのアドレスを確認することができる。
【００５４】
メニューＭ１９において、戻る操作スイッチＳＷ８を押す操作入力があると、メイン表示部Ｄ２にメニューＭ１５を表示する処理が実行される。
【００５５】
以上、第１実施形態によれば、遠隔監視制御システムについての各種情報を容易に取り出すことができる。
【００５６】
（第２実施形態）
図７は本発明に係る第２実施形態のパターン・グループ設定器付セレクタスイッチの回路ブロック図である。
【００５７】
第２実施形態のパターン・グループ設定器付セレクタスイッチ４Ａは、第１実施形態のシリアル通信用コネクタＴ３およびＲＳ２３２Ｃドライバ回路４４３に代えて、ＰＣカードスロットＴ３ＡおよびＰＣカードドライバ回路４４３Ａを備える以外は、第１実施形態のパターン・グループ設定器付セレクタスイッチ４と同様に構成される。
【００５８】
この構成でも、ＰＣカードスロットＴ３ＡにＰＣカード４５を装着すれば、そのＰＣカード４５に所望の出力情報を記憶することができるから、そのＰＣカード４５をパソコンなどの外部機器に装着すれば、パソコンでそのデータを保存したり、あるいは加工して印刷出力することができる。第１実施形態では、外部機器と接続するためのケーブルが必要になり、近傍に外部機器を設置しなければならないが、第２実施形態ではそのような煩わしさがない。
【００５９】
なお、第２実施形態では、記録媒体がＰＣカードになっているが、これに限らず、フロッピーディスクなどの記録媒体でもよく、そのための出力部をパターン・グループ設定器付セレクタスイッチに具備する構成でもよい。
【００６０】
【発明の効果】
以上のことから明らかなように、請求項１記載の発明は、２線式の信号線を介して各別にアドレスを有する複数個の端末器を伝送処理装置に時分割多重接続方式で接続し、伝送処理装置は、アドレスデータを含む伝送信号を信号線に送出することによって端末器を個別にアクセスし、伝送信号に同期して設定した信号返送期間に端末器でのスイッチの操作による操作データを受信すると、操作データに基づいて制御データを生成し、操作データを発生した端末器とアドレスによる対応関係があらかじめ設定されている他の端末器に対して制御データを伝送してその端末器に接続された負荷を制御する遠隔監視制御システムに用いられ、上記スイッチを複数備えるとともに、これら複数のスイッチについての所定情報を、上記他の端末器である制御用端末器単位に区分して表示するセレクタ表示部を複数備えるパターン・グループ設定器付セレクタスイッチであって、信号線上の信号をモニタすることで各種情報を取得するためのモニタ部と、このモニタ部によって取得された各種情報を記憶する記憶部と、外部機器に対して情報を出力するための出力部と、各種出力情報の中から所望の出力情報を出力部から出力する操作を入力するための操作スイッチを複数種類有してなる設定実行操作部と、この設定実行操作部の操作スイッチを用いて、各種出力情報の中から所望の出力情報を出力部から出力する操作が行われると、記憶部に記憶された各種情報から所望の出力情報を得て出力部から出力する制御を行う制御部とを備えるので、操作スイッチを用いて、各種出力情報の中から所望の出力情報を出力部から出力する操作を行えば、記憶部に記憶された各種情報から得られる所望の出力情報が出力部から出力されるから、遠隔監視制御システムについての各種情報を容易に取り出すことができる。
【００６１】
請求項２記載の発明によれば、請求項１記載のパターン・グループ設定器付セレクタスイッチにおいて、記憶部に記憶された各種情報から得られ出力部から出力される各種出力情報の中から、出力するべき所望の出力情報を選択させるためのメニューを表示するメニュー表示部を備え、制御部は、メニュー表示部に表示されたメニューに従って、設定実行操作部の操作スイッチを用いて、各種出力情報の中から所望の出力情報を選択し、それを出力部から出力する操作が行われると、記憶部に記憶された各種情報から所望の出力情報を得て出力部から出力する制御を行うので、操作スイッチを用いて、各種出力情報の中から所望の出力情報を選択し、それを出力部から出力する操作を行えば、記憶部に記憶された各種情報から得られる所望の出力情報が出力部から出力されるから、遠隔監視制御システムについての各種情報を容易に取り出すことができる。
【００６２】
請求項３記載の発明によれば、請求項１または２記載のパターン・グループ設定器付セレクタスイッチにおいて、モニタ部は、信号線上の信号をモニタすることで各制御用端末器の負荷の回路状態についての情報を取得して記憶部に記憶し、制御部は、設定実行操作部の操作スイッチを用いて、各種出力情報の中から各負荷の回路状態についての情報を選択し、それを出力部から出力する操作が行われると、記憶部に記憶された各種情報から各負荷の回路状態についての情報を得て出力部から出力する制御を行うので、操作スイッチを用いて、各種出力情報の中から各負荷の回路状態についての情報を選択し、それを出力部から出力する操作を行えば、記憶部に記憶された各種情報から得られる各負荷の回路状態についての情報が出力されるから、遠隔監視制御システムについての各負荷の回路状態についての情報を容易に取り出すことができる。
【００６３】
請求項４記載の発明は、請求項１から３のいずれかに記載のパターン・グループ設定器付セレクタスイッチにおいて、モニタ部は、信号線上の信号をモニタすることで、制御用端末器が有するアドレスのうち、返信のない制御用端末器のアドレスの情報を未使用回路情報として取得して記憶部に記憶し、制御部は、設定実行操作部の操作スイッチを用いて、各種出力情報の中から未使用回路情報を選択し、それを出力部から出力する操作が行われると、記憶部に記憶された各種情報から未使用回路情報を得て出力部から出力する制御を行うので、操作スイッチを用いて、各種出力情報の中から未使用回路情報を選択し、それを出力部から出力する操作を行えば、記憶部に記憶された各種情報から得られる未使用回路情報が出力されるから、遠隔監視制御システムについての未使用回路情報を容易に取り出すことができる。
【００６４】
請求項５記載の発明は、請求項１から４のいずれかに記載のパターン・グループ設定器付セレクタスイッチにおいて、モニタ部は、信号線上の信号をモニタすることで、遠隔監視制御システムで設定されている所定数のパターンアドレスおよびグループアドレスのうち、未使用のパターンアドレスおよびグループアドレスの情報を取得して記憶部に記憶し、制御部は、設定実行操作部の操作スイッチを用いて、各種出力情報の中から未使用のパターンアドレスおよびグループアドレスの情報を選択し、それを出力部から出力する操作が行われると、記憶部に記憶された各種情報から未使用のパターンアドレスおよびグループアドレスの情報を得て出力部から出力する制御を行うので、操作スイッチを用いて、各種出力情報の中から未使用のパターンアドレスおよびグループアドレスの情報を選択し、それを出力部から出力する操作を行えば、記憶部に記憶された各種情報から得られる未使用のパターンアドレスおよびグループアドレスの情報が出力されるから、遠隔監視制御システムについての未使用のパターンアドレスおよびグループアドレスの情報を容易に取り出すことができる。
【００６５】
請求項６記載の発明は、請求項１から５のいずれかに記載のパターン・グループ設定器付セレクタスイッチにおいて、記憶部は、パターンアドレスおよびグループアドレスの情報を、それらアドレスによるパターン制御およびグループ制御で動作する制御用端末器下の負荷についての情報とともに記憶し、制御部は、設定実行操作部の操作スイッチを用いて、任意の制御用端末器下の負荷がどのパターンアドレスおよびグループアドレスによるパターン制御およびグループ制御で動作するかを表す情報を選択し、それを出力部から出力する操作が行われると、記憶部に記憶された各種情報から、その任意の制御用端末器下の負荷に対応するパターンアドレスおよびグループアドレスを読み出して出力部から出力する制御を行うので、操作スイッチを用いて、任意の制御用端末器下の負荷がどのパターンアドレスおよびグループアドレスによるパターン制御およびグループ制御で動作するかを表す情報を選択し、それを出力部から出力する操作を行えば、記憶部に記憶された各種情報から、その任意の制御用端末器下の負荷に対応するパターンアドレスおよびグループアドレスが読み出されて出力されるから、任意の制御用端末器下の負荷がどのパターンアドレスおよびグループアドレスによるパターン制御およびグループ制御で動作するかを表す情報を容易に取り出すことができる。
【００６６】
請求項７記載の発明は、請求項１から６のいずれかに記載のパターン・グループ設定器付セレクタスイッチにおいて、出力部は、シリアル通信用の出力インターフェースであり、この構成でも、遠隔監視制御システムについての各種情報を容易に取り出すことができる。
【００６７】
請求項８記載の発明は、請求項１から６のいずれかに記載のパターン・グループ設定器付セレクタスイッチにおいて、出力部は、所定の記録媒体に対してデータの読み書きを行う記録装置であるので、外部機器と接続するためのケーブルが不要になり、近傍に外部機器を設置しなければならない煩わしさがない。
【図面の簡単な説明】
【図１】本発明に係る第１実施形態のパターン・グループ設定器付セレクタスイッチの回路ブロック図である。
【図２】同パターン・グループ設定器付セレクタスイッチの正面図である。
【図３】同パターン・グループ設定器付セレクタスイッチの背面図である。
【図４】遠隔監視制御システムの伝送処理装置による常時ポーリング処理の説明図である。
【図５】同パターン・グループ設定器付セレクタスイッチのメイン表示部で表示されるメニューの例を示す図である。
【図６】同パターン・グループ設定器付セレクタスイッチのメイン表示部で表示されるメニューの例を示す図である。
【図７】本発明に係る第２実施形態のパターン・グループ設定器付セレクタスイッチの回路ブロック図である。
【図８】遠隔監視制御システムの構成図である。
【図９】遠隔監視制御システムで使用される伝送信号の説明図である。
【符号の説明】
１  伝送処理装置
２  操作用端末器
３  制御用端末器
４，４Ａ  パターン・グループ設定器付セレクタスイッチ
４１  電源部
４２  デュアルポートＲＡＭ
４３  モニタ部
４４，４４Ａ  主回路部
Ｔ３  シリアル通信用コネクタ
４４３  ＲＳ２３２Ｃドライバ回路
Ｔ３Ａ  ＰＣカードスロット
４４３Ａ  ＰＣカードドライバ回路
【図１】
0003724394.tif 000002
【図２】
0003724394.tif 000003
【図３】
0003724394.tif 000004
【図４】
0003724394.tif 000005
【図５】
0003724394.tif 000006
【図６】
0003724394.tif 000007
【図７】
0003724394.tif 000008
【図８】
0003724394.tif 000009
【図９】
0003724394.tif 000010